(57)【要約】【課題】ベッドフレームの高さを変えることができる構造であっても、容易に移動させることができるようにしたベッド装置を提供することにある。【解決手段】長手方向の一端側と他端側に取付け部が設けられたベッドフレーム１と、ベッドフレームの長手方向の一端側と他端側に上下方向に沿って設けられたガイド部材１２と、ガイド部材に移動可能に設けられガイド部材の下端側に突出してベッドフレームを支持する脚部材１８と、脚部材に沿ってガイド部材とともにベッドフレームを上昇方向及び下降方向に駆動してベッドフレームの脚部材による支持高さを変更する駆動機構２１と、取付け部に設けられ脚部材をガイド部材に沿ってさせベッドフレームを下降させたとき、脚部材に代わってベッドフレームを走行可能に支持するキャスタ３８を具備する。【選択図】      図１
2016030148.tif 000002
【特許請求の範囲】
【請求項１】
長手方向の一端側と他端側に取付け部が設けられたベッドフレームと、
このベッドフレームの長手方向の一端側と他端側に上下方向に沿って設けられたガイド部材と、
前記ガイド部材に移動可能に設けられ前記ガイド部材の下端側に突出して前記ベッドフレームを支持する脚部材と、
この脚部材に沿って前記ガイド部材とともに前記ベッドフレームを上昇方向及び下降方向に駆動して前記ベッドフレームの前記脚部材による支持高さを変更する駆動機構と、
前記取付け部に設けられ前記脚部材を前記ガイド部材に沿って移動させ前記ベッドフレームを下降させたとき、前記脚部材に代わって前記ベッドフレームを走行可能に支持するキャスタと
を具備したことを特徴とするベッド装置。
【請求項２】
前記キャスタは前記取付け部に着脱可能に取付けられるようになっていて、前記ベッドフレームを下降させるとき、上昇位置にある前記ベッドフレームに対して取付けられることを特徴とする請求項１記載のベッド装置。
【請求項３】
前記ベッドフレームは、
平行に離間対向した一対の側部材と、
この側部材の長手方向一端側と他端側に設けられたボード体を有し、
前記取付け部は、前記側部材の上下方向に貫通して形成された取付け孔であることを特徴とする請求項１又は請求項２記載のベッド装置。
【請求項４】
前記キャスタは、車輪を回転可能に支持した支持体と、この支持体に取付けられ前記取付け部に挿入される取付け軸を有し、
前記取付け軸の下端部には、この取付け軸を前記取付け孔に挿入したときに前記側部材の下面に当たる鍔部が設けられ、上端部には、前記側部材の上面に係合し、前記取付け軸が前記取付け孔から抜出すするのを阻止する係止部材が設けられていることを特徴とする請求項３記載のベッド装置。
【請求項５】
前記各ボード体の幅方向両端部にはそれぞれ下端が開放した筒状の前記ガイド部材が設けられ、前記ベッドフレームは前記各ガイド部材に移動可能に設けられた４本の脚部材によって支持されていて、
前記ベッドフレームに設けられた４つのガイド部材は、前記駆動機構によって同期して上下方向に駆動される構成であることを特徴とする請求項１記載のベッド装置。
【請求項６】
ベッドフレームを有するベッド装置であって、
前記ベッドフレームは側部材を備え、
前記側部材には側柵を着脱可能に取付ける取付け部が上下方向に貫通して形成されていて、
前記ベッドフレームを移動させるとき、前記取付け部には前記ベッドフレームを走行可能に支持するキャスタが前記側部材の下面側から着脱可能に取付けられることを特徴とするベッド装置。
【発明の詳細な説明】
【技術分野】
【０００１】
この発明はベッドフレームを昇降駆動して利用者の支持高さを変えることができるベッド装置に関する。
【背景技術】
【０００２】
たとえば病院などでは、身体の不自由な老人や病人などの利用者は介護用のベッド装置を利用することが多い。介護用のベッド装置の場合、マットレスを支持するためのベッドフレームを昇降できる構成とし、必要に応じて前記ベッドフレームの床面からの支持高さ、つまり前記マットレス上に仰臥する利用者の支持高さを以下の理由によって変えることができるようにしたものがある。
【０００３】
すなわち、就寝中に利用者がベッドフレームから落下する虞がある場合、安全上、ベッドフレームの支持高さをできるだけ低くして利用するようにしている。  
介護者が利用者を介護する場合、介護者の負担を軽減するためにはベッドフレームによる利用者の支持高さをできるだけ低くすることが好ましいことがある。
【０００４】
利用者がベッドフレームに載り降りする場合、利用者にかかる負担を軽減したり、安全性を図るため、前記ベッドフレームの支持高さを低くするようにしている。
【０００５】
マットレス上の利用者を車椅子に移す場合、利用者の支持高さを車椅子に移動させ易い高さにした方が介護者にかかる負担が軽減される、などのことがある。
【０００６】
そこで、利用者の支持高さを変えることができるようにしたベッド装置が開発されている。特許文献1に示されたベッド装置は床面に接する固定フレームを有し、この固定フレームの前後両端には上下方向に延びる支持体が設けられている。
【０００７】
前記支持体には昇降部材が上下動自在に支持され、駆動機構によって上下駆動されるようになっている。一対の昇降部材には床部を支持する支持フレーム（以下、ベッドフレームという。）を取り付けるようにしている。そして、前記ベッドフレームを構成する左右フレーム部の一部又は全部を前記固定フレームに対して水平方向で重複させることで、最下降時において、前記床部表面を床面に近づけることができるようにしている。
【０００８】
また、特許文献２に示されたベッド装置はベースフレームを有し、このベースフレーム上にはベッドフレームをリンク機構によって上下動可能に設け、このリンク機構を駆動することで、前記ベッドフレームの高さを変えることができるようにしている。
【先行技術文献】
【特許文献】
【０００９】
【特許文献１】特開２００１−２９１７５号公報
【特許文献２】特開２０１４−７６２１４号公報
【発明の概要】
【発明が解決しようとする課題】
【００１０】
特許文献１，２に示された従来の構造のベッド装置によれば、床部を支持するベッドフレームの支持高さを変えることができるから、前記床部上に仰臥する利用者の支持高さを、種々の目的に応じて変えることが可能である。
【００１１】
ところで、病院などにおいては、利用者の病状の変化や病室の変更などがあった場合、利用者をベッド装置とともに手術室や他の病室などに移動させるということがある。
【００１２】
しかしながら、特許文献１に示されたベッド装置はベッドフレームの高さを変えることができるようにするため、固定フレームを床面に接して設け、この固定フレームに一対の支持体、昇降部材、ベッドフレームなどを順次設ける構成となっている。
【００１３】
そのため、ベッド装置を移動させたい場合、固定フレームとともにベッド装置全体を持ち上げて移動しなければならないから、種々の状況に応じたベッド装置の移動を容易に行うことができないということがあった。
【００１４】
しかも、病院にベッド装置を納入する場合、納入業者はベッド装置を患者がいない病室の外で組み立ててから、病室に搬入するようにしている。しかしながら、特許文献１に示されたベッドフレームの高さを変えることができる構成のベッド装置では、上述したようにベッド装置全体を持ち上げて移動させなければならないから、組み立て場所から病室への搬入移動に多くの労力を要するということがあった。
【００１５】
一方、特許文献２に示されたベッド装置は、ベースフレームにキャスタが設けられている。そのため、前記キャスタによってベッドフレームをベースフレームとともに容易に移動させることが可能である。
【００１６】
しかしながら、このような構成によると、ベースフレームの下面にはキャスタが予め設けられ、このベースフレームの上面側には前記ベッドフレームがリンク機構によって上下駆動可能に設けられている。
【００１７】
そのため、前記ベッドフレームを最大下降位置、つまり下降限まで下降させても、前記ベッドフレームの床面からの高さは、前記キャスタ、ベースフレーム及びリンク機構によって制限を受け、十分に低く下降させることができないということがある。
【００１８】
その結果、身体の不自由な利用者などが前記ベッドフレームに載り降りするのに不便であったり、仰臥した利用者の介護がし難いなどのことがある。
【００１９】
この発明は、ベッドフレームの下降限の高さを十分に低くすることができる構成であっても、設置場所を変更したり、組み立て場所から病室などへ搬入するときなど、容易に移動させることができるようにしたベッド装置を提供することにある。
【課題を解決するための手段】
【００２０】
この発明は、長手方向の一端側と他端側に取付け部が設けられたベッドフレームと、
このベッドフレームの長手方向の一端側と他端側に上下方向に沿って設けられたガイド部材と、
前記ガイド部材に移動可能に設けられ前記ガイド部材の下端側に突出して前記ベッドフレームを支持する脚部材と、
この脚部材に沿って前記ガイド部材とともに前記ベッドフレームを上昇方向及び下降方向に駆動して前記ベッドフレームの前記脚部材による支持高さを変更する駆動機構と、
前記取付け部に設けられ前記脚部材を前記ガイド部材に沿って移動させ前記ベッドフレームを下降させたとき、前記脚部材に代わって前記ベッドフレームを走行可能に支持するキャスタと
を具備したことを特徴とするベッド装置にある。
【発明の効果】
【００２１】
ベッドフレームに設けられた取付け部に、前記ベッドフレームを下降させたとき、このベッドフレームを支持脚に代わって走行可能に支持するキャスタを取り付けることができるようにした。
【００２２】
そのため、前記ベッドフレームにガイド部材を設け、このガイド部材に沿って駆動可能に脚部材を設け、この脚部材によって支持される前記ベッドフレームの支持高さを変えることができる構造、つまりベッドフレームの支持高さを十分に低くできる構造のベッド装置であっても、前記ベッドフレームを前記キャスタによって容易に移動させることが可能となる。
【図面の簡単な説明】
【００２３】
【図１】この発明の一実施の形態を示すベッドフレームを脚部材によって上昇限の高さで支持した状態の斜視図。
【図２】図１に示すベッド装置の平面図。
【図３】ボード体の下横部材を断面し、ベッドフレームを上下方向に駆動するための駆動機構を示す図。
【図４】ベッドフレームを脚部材によって下降限まで下降させてキャスタによって支持した状態の斜視図。
【図５】ベッドフレームの側部材の取付け孔にキャスタを取り付けた状態を示す図。
【図６】（ａ）は取付け軸を断面したキャスタの正面図、（ｂ）は同じく側面図。
【図７】キャスタの取付け軸に設けられるダブルボールプランジャの半断面図。
【図８】キャスタを取り付けるためにベッドフレームを上昇させたベッド装置の側面図。
【図９】キャスタが取り付けられたベッドフレームを下降限まで下降させたベッド装置の側面図。
【図１０】（ａ）は上昇限まで上昇させたベッドフレームの側部の取付け孔にキャスタを取り付けるときの斜視図、（ｂ）は前記取付け孔にキャスタを取り付けた状態の斜視図。
【発明を実施するための形態】
【００２４】
以下、この発明の一実施の形態を図１乃至図１０を参照しながら説明する。  
図１に示すベッド装置Ｂはベッドフレーム１を備えている。このベッドフレーム１は図２に示すように所定間隔で平行に離間対向して配置された一対の側部材２を有する。
【００２５】
前記側部材２の長手方向一端と他端とには、それぞれボード体３の下端部が連結固定されている。それによって、前記ベッドフレーム１は図２に示すように平面形状が矩形枠状をなしている。
【００２６】
前記ベッドフレーム１の枠内には、床板体６が前記側部材２の内面に所定間隔で突設された複数の受け部材７によって支持されている。前記床板体６の上面には図示しない寝具としてのマットレスが載置される。
【００２７】
前記床板体６は横桟８が所定間隔で架設された５つの床部６ａ〜６ｅに分割されていて、これら床部６ａ〜６ｅは互いに回動可能に連結されている。つまり、長手方向の中央に位置する固定床部６ａは前記ベッドフレーム１に固定されている。この固定床部６ａの一側には腰床部６ｂと背床部６ｃが順次枢着され、他側には第１の脚床部６ｄと第２の脚床部６ｅが順次枢着されている。
【００２８】
前記ベッドフレーム１の両側内面の長手方向中央部には、同期して作動する一対の背上げ用駆動機構９が設けられている。この背上げ用駆動機構９は前記ベッドフレーム１の下面側に突出しない高さ寸法に構成されていて、前記背床部６ｃを前記腰床部６ｂとともに起上方向に駆動するととともに、前記第１の脚床部６ｄと第２の脚床部６ｅが山形状になるよう駆動するようになっている。
【００２９】
なお、前記背上げ用駆動機構９の具体例としては、たとえば特許第４３１７１２９号公報や特許第３８１０６８７号公報に示される構造のものを用いるようにしてもよい。
【００３０】
前記ベッドフレーム１の側部材２は図５に示すように扁平な角筒状の部材によって形成されていて、その長手方向の一端部側と他端部側の上下面には図２に示すようにそれぞれ２つで対をなす２組の取付け孔１０が上下方向に貫通して穿設されている。
【００３１】
前記側部材２の上面と下面に穿設された取付け孔１０間には、図５に示すようにスリーブ５が設けられている。前記取付け孔１０とスリーブ５とで後述するキャスタ３８を取り付ける取付け部を構成している。
【００３２】
各組の取付け孔１０、つまりスリーブ５には、図示しない側柵の下端側に突出して設けられた一対の軸部を着脱可能に差し込むことができるようになっている。つまり、前記ベッドフレーム１の側部には前記取付け孔１０を利用してそれぞれ一対の側柵を着脱可能に取付けることができるようになっている。
【００３３】
前記床板体６の上面には図示しないマットレスが載置される。そして、このマットレスの上面に身体の不自由な老人や病人などの利用者が仰臥するようになっている。
【００３４】
図１に示すように、前記一対のボード体３は下横部材１１を有する。この下横部材１１は前記一対の側部材２とともに前記ベッドフレーム１を構成している。前記下横部材１１は、偏平な角筒状の部材によって前記一対の側部材２の対向間隔とほぼ同等の長さ寸法を有している。
【００３５】
前記下横部材１１の長手方向の両端には、下端が開放した筒状のガイド部材１２が下端部を前記下横部材１１に連結して上下方向に沿って設けられている。一対のガイド部材１２の間にはボード板１３が下端を前記下部横部材１１の上面に当接させて支持されている。このボード板１３の上部の幅方向両端部には取付け具１４が設けられ、これら取付け具１４はそれぞれ前記ガイド部材１２の内面に上下方向に沿って設けられた図示しない係合溝に取り外し可能に係合保持ざれている。
【００３６】
前記ガイド部材１２の内部には、図３に示すように上端部に連結駒１７が固着された脚部材１８が図示しない部材にガイドされて移動可能に挿入され支持されている。それによって、前記脚部材１８は前記ガイド部材１２に対して相対的に上下方向に移動可能となっている。前記脚部材１８の下端には前記ガイド部材１２の下端開口よりも大きい円盤状の支持部材１９が取付けられている。
【００３７】
図２に示すように、一方の前記ボード体３の前記下横部材１１の内面には、前記ベッドフレーム１を前記脚部材１８に沿って上下方向に駆動する駆動機構２１を構成する駆動モータ２２が設けられている。この駆動モータ２２には出力ユニット２３が連結されている。
【００３８】
前記出力ユニット２３には、前記出力ユニット２３を介して前記駆動モータ２２により回転駆動される出力軸２４の一端部が取り付けられている。この出力軸２４は前記床板体６の下面側の幅方向一端部に、前記ベッドフレーム１の長手方向に沿って回転可能に支持されて配置されている。
【００３９】
前記出力軸２４の一端は一方のボード体３の下横部材１１の内部に突出させ、他端は他方のボード体３の下横部材１１の内部に突出させて回転可能に支持されている。
【００４０】
前記出力軸２４は図８と図９に示すように前記ベッドフレーム１の下面側からわずかに下方へ突出している。前記ベッドフレーム１の前記側部材２の下面に後述するキャスタ３８を取り付け、前記ベッドフレーム１を最下降位置まで下降させたとき、このキャスタ３８の下端は前記出力軸２４よりも下方に位置するようになっている。
【００４１】
図３に示すように、各下横部材１１（一方の下横部材１１のみ図示）の内部には、両端部が軸受ユニット２５に回転可能に支持されたねじ軸２６が長手方向に沿って設けられている。このねじ軸２６にはナット体２７が螺合されている。
【００４２】
前記ナット体２７は前記ねじ軸２６が回転駆動されたとき、このねじ軸２６とともに回転することなく、前記下横部材１１の内部を前記ねじ軸２６の軸方向に沿って移動するよう、前記下横部材１１の内部に設けられている。
【００４３】
前記ナット体２７には第１のワイヤ２８と第２のワイヤ２９の一端が連結されている。前記ナット体２７から導出された前記第１のワイヤ２８は、第１の滑車３１に係合して上方に方向変換され、その他端は前記ボード体３の幅方向一端側に位置する一方の脚部材１８の上端部に設けられた前記連結駒１７に連結されている。前記第１の滑車３１は前記下横部材１１の長手方向一端部内に固定された第１のブラケット３０ａに回転可能に取付けられている。
【００４４】
前記第２のワイヤ２９は、前記第１の滑車３１の近くで、前記第１のブラケット３０ａに回転可能に取付けられた第２に滑車３２に係合して水平方向に方向変換され、前記下横部材１１の長手方向の他端側に導かれている。
【００４５】
前記下横部材１１の他端部には第２のブラケット３０ｂが固定して設けられている。この第２のブラケット３０ｂには上下方向に第３滑車３３及び第４の滑車３４が回転可能に取付けられている。前記第２の滑車３２によって方向変換された前記第２のワイヤ２９は前記第３、第４の滑車３３，３４に順次係合して垂直方向上方に方向変換されている。
【００４６】
そして、前記第２のワイヤ２９の他端は前記ボード体３の幅方向他端側に位置する他方の脚部材１８の上端部に設けられた前記連結駒１７に連結されている。
【００４７】
各ボード体３の下横部材１１の内部に突出した前記出力軸２４と前記ねじ軸２６把持苦戦を直交させて配置されている。前記出力軸２４の一端部と他端部（図３では一端部のみを図示）にはそれぞれ第１の歯車３６が嵌合されている。この第１の歯車３６は、前記ねじ軸２６の一方の端部に前記第１の歯車３６と軸線を直交させて設けられた第２の歯車３７に噛合している。
【００４８】
したがって、前記駆動モータ２２が作動し、前記出力ユニット２３を介して前記出力軸２４が回転駆動されると、この出力軸２４の回転に前記ねじ軸２６が連動する。ねじ軸２６が回転すると、このねじ軸２６に螺合されたナット体２７が前記ねじ軸２６の回転方向に応じて前記下横部材１１の内部を、前記ねじ軸２６に沿って図３に示す矢印Ａ或いは矢印Ｃで示す方向に沿って移動する。
【００４９】
前記ナット体２７が、たとえば矢印Ａで示す方向に移動すれば、前記第１のワイヤ２８と第２のワイヤ２９の一端部が前記下横部材１１の内部に引き込まれる。それによって、前記下横部材１１及びこの下横部材１１と一体的に設けられたガイド部材１２及び側部材２が前記脚部材１８に対して相対的に上昇方向に駆動される。つまり、ベッドフレーム１が前記脚部材１８に沿って上昇方向に駆動される。
【００５０】
逆に、前記ナット体２７を矢印Ｃで示す方向に移動するよう前記ねじ軸２６が回転駆動されれば、第１、第２のワイヤ２８，２９の前記下横部材１１の内部に引き込まれた部分が前記下横部材１１から繰り出されるから、これらワイヤ２８，２９が繰り出された長さに応じて前記ベッドフレーム１が自重によって下降する。
【００５１】
すなわち、上述した駆動モータ２２、出力ユニット２３、出力軸２４、ねじ軸２６、第１、第２のワイヤ２８，２９、第１乃至第４の滑車３１〜３４などから構成された前記駆動機構２１によれば、前記駆動モータ２２が作動すると、前記出力軸２４によって前後一対のボード体３にそれぞれ設けられたねじ軸２６が同期して駆動される。
【００５２】
各ボード体３のねじ軸２６が同期して駆動されると、前記ねじ軸２６に螺合されたナット体２７が前記ねじ軸２６の回転方向に応じて図３に矢印Ａ或いはＣで示す方向に移動し、第１、第２のワイヤ２８，２９を矢印Ａで示す引張方向或いは矢印Ｃで示す繰り出し方向に駆動する。
【００５３】
それによって、各ボード体３の両側に設けられたガイド部材１２がそれぞれ脚部材１８に沿って上昇或いは下降方向に移動するから、前記ガイド部材１２と一体的である前記ベッドフレーム１の長手方向の一端側と他端側を、同時に同じ高さで上下方向に駆動することができる。つまり、前記ベッドフレーム１は水平な状態を維持して高さ調整することができる。
【００５４】
前記駆動機構２１による前記ベッドフレーム１の駆動は、図示しないリモートコントローラによって同じく図示しない制御装置を介して制御及び設定することができるようになっている。前記リモートコントローラと制御装置は制御手段を構成している。
【００５５】
この実施の形態において、前記リモートコントローラによる前記ベッドフレームの駆動制御は、前記ベッドフレーム１を最も下降させた最下降の位置、最も上昇させて最上昇の位置、及び最下降と最上昇の間で無段階に調整できるよう設定されている。
【００５６】
前記ベッドフレーム１の最下降の位置は、ベッドフレーム１の下面側に突出した前記出力軸２４が床面に接近するものの、床面に当たらない高さに設定されている。
【００５７】
前記構成のベッド装置、つまりベッドフレーム１を利用者の病状や病室の変更などで移動させる必要が生じた場合、前記ベッドフレーム１の一対の側部材２の両端部の下面側に、合計で４つのキャスタ３８が取り付けられる。
【００５８】
前記キャスタ３８は、図６（ａ），（ｂ）に示すように一対の車輪３９が回転可能に設けられた支持体４１を有する。この支持体４１には６角軸部４１ａを介して鍔部４１ｂとおねじ部４２が設けられている。このおねじ部４２には取付け軸４３が、その下端に開口して設けられためねじ部４４を螺合させて取り付けられている。
【００５９】
前記取付け軸４３の外形寸法は、前記側部材２に穿設された上下一対の前記取付け孔１０及び上下一対の取付け孔１０に設けられたスリーブ５の内径寸法よりもわずかに小さく設定されている。そして、前記取付け軸４３の上端部には第１の貫通孔４５ａと、この上方に第２の貫通孔４５ｂが径方向に沿って穿設されている。
【００６０】
前記取付け軸４３のめねじ部４４を前記支持体４１のおねじ部４２にねじ込むとき、前記支持体４１の６角軸部４１ａをスパナ（図示せず）で挟み、前記第１の貫通孔４５ａに、所定の長さの廻り止め用のロッド（図示せず）を一端部を挿入させる。そして、前記ロッドを保持して前記取付け軸４３が回転しないようにした状態で、前記取付け軸４１の６角軸部４１ａにスパナを掛け、この取付け軸４１を回転させる。それによって、前記おねじ部４２を前記めねじ部４４にねじ込むことができる。
【００６１】
前記第２の貫通孔４５ｂには係止部材としてのダブルボールプランジャ４６が圧入保持されている。このダブルボールプランジャ４６は、図７に示すように前記第２の貫通孔４５ｂに圧入される筒状体４７を有する。この筒状体４７の内部にはコイル状のばね４８が収容され、このばね４８の両端にそれぞれ球体４９が弾性的に、しかも前記筒状体４７の両端開口から抜出しないように収容保持されている。
【００６２】
そして、前記第２の貫通孔４５ｂに前記ダブルボールプランジャ４６を圧入すると、前記球体４９が前記第２の貫通孔４５ｂの両端開口から突出するようになっている。前記取付け軸４３の下端に設けられた鍔部４１ｂと、上端部に設けられた前記ダブルボールプランジャ４６の球体４９との間隔は、上下面に一対の前記取付け孔１０が穿設された前記側部材２の高さ寸法よりもわずかに大きく設定されている。
【００６３】
前記キャスタ３８を側部材２に取付ける場合、まず、図８に示すようにベッドフレーム１を上昇位置に駆動する。ついで、前記キャスタ３８の取付け軸４３を、この取付け軸４３の下端部に設けられた鍔部４１ｂが前記側部材２の下面に当たるまで、前記取付け孔１０の前記側部材２の下面に開口した取付け孔１０から前記スリーブ５に挿入する。挿入する前の状態を図１０（ａ）に示す。
【００６４】
それによって、前記取付け軸４３の上端部に設けられた前記ダブルボールプランジャ４６の一対の球体４９が径方向内方へ弾性的に変位して前記側部材２の上面側の取付け孔１０を通過した後、径方向外方へ復元する。この状態を図１０（ｂ）及び図５に示す。その結果、前記キャスタ３８は前記側部材２に抜出不能に保持される。
【００６５】
なお、前記側部材２に取付けられた前記キャスタ３８を下方へ強く引けば、前記一対の球体４９が径方内方へ弾性変位するから、前記キャスタ３８を前記側部材２から取り外しことができる。
【００６６】
なお、前記キャスタ３８を前記側部材２に着脱可能に取付けるために前記取付け軸４３にダブルボールプランジャ４６を設けるようにした。そのような構成に代わって他の手段、たとえば前記キャスタ３８の取付け軸４３を前記取付け孔１０に取付けたとき、前記側部材２の上面に弾性的に係合してこの側部材２に着脱可能に取付けることができるもの、たとえば前記取付け軸４３に球形状や角錐状などの形状の１つの突起を弾性的に突没可能に設けた構成であってもよい。
【００６７】
このようにして側部材２の下面側にキャスタ３８を取り付けたならば、図９に示すように前記キャスタ３８が床面に当たるまで、つまり最下降の位置まで前記ベッドフレーム１を下降させる。
【００６８】
それによって、前記ベッドフレーム１、つまりベッド装置Ｂは前記キャスタ３８によって移動させることができる状態となるから、前記ベッドフレーム１上に仰臥した利用者を手術室に搬送したり、他の病室に移動させるような場合、ベッド装置Ｂをキャスタ３８によって走行させて容易に移動させることができる。
【００６９】
また、納入業者がベッド装置Ｂを病院などに納入する場合、ベッド装置Ｂを病室の外で組み立てて病室で搬入するということが行われている。そのような場合も、ベッド装置Ｂを組み立てたならば、そのベッドフレーム１の下面側にキャスタ３８を取り付けた後、前記キャスタ３８が床面に設置するまで前記ベッドフレーム１を下降させれば、組み立てられたベッド装置Ｂを前記キャスタ３８によって走行させて病室に搬入し、所定の場所に設置することができる。したがって、ベッド装置Ｂの納入時における納入作業を容易に行うことができるということもある。
【００７０】
ベッド装置Ｂを目的の場所まで移動させた後、ベッドフレーム１を所定の高さに上昇させて使用する場合、図９に示すように下降限の高さにある前記ベッドフレーム１を、図８に示すように所定の高さまで上昇させる。ついで、前記ベッドフレーム１の側部材２に取付けられたキャスタ３８を下方へ引けば、上述したように前記キャスタ３８を側部材２から取り外した状態で、ベッド装置Ｂを使用することができる。
【００７１】
上記構成のベッド装置Ｂにおいて、前記ベッドフレーム１は、ボード体３にガイド部材１２を設け、このガイド部材１２に前記ベッドフレーム１を支持する脚部材１８を挿入している。そして、前記脚部材１８に対し、前記ガイド部材１２を移動させることで、前記ベッドフレーム１の支持高さを調整できる構造となっている。
【００７２】
そのため、前記ベッドフレーム１の下面側に、従来のベッド装置のようにベッドフレーム１を上下駆動するためのリンク機構やリンク機構を設けるためのベース部材などを設けることなく、前記ベッドフレーム１の高さを調整することができる。
【００７３】
すなわち、上述した構造のベッド装置Ｂによれば、前記ベッドフレーム１を、下面が床面に接近する高さまで下降させることが可能である。つまり、前記ベッドフレーム１を十分な低さまで下降させることができる。
【００７４】
そして、前記ベッドフレーム１を十分な低さまで下降させることができる構造であっても、前記ベッドフレーム１を必要に応じて移動させる際、上述したようにベッドフレーム１の側部材２の下面側にキャスタ３８を取り付け、このキャスタ３８を床面に接触するまで前記ベッドフレーム１を下降させることで、移動を容易に行うことができる。つまり、ベッドフレーム１の支持高さを十分に低くできる構造でありながら、容易に移動させることもできる。
【００７５】
４つの脚部材１８に対し、前記ベッドフレーム１の４つのガイド部材１２は前記駆動機構２１によって同期して駆動される。そのため、前記脚部材１８に対して前記ベッドフレーム１は水平状態を維持しながら上下方向に駆動されることになる。
【００７６】
前記キャスタ３８は前記ベッドフレーム１に対して着脱可能に設けられる。そのため、不要時には前記キャスタ３８を前記ベッドフレーム１から取り外すことができるから、ベッド装置Ｂの外観を損なったり、邪魔になるなどのことがない。
【００７７】
前記ベッドフレーム１を下降限まで下降させる際、前記ベッドフレーム１を走行可能に支持する前記キャスタ３８を、通常の介護用のベッド装置に設けられている、側柵を取り付けるための取付け孔１０を利用して取付けるようにした。そのため、前記キャスタ３８を取り付けるために、専用の取付け部を設ける必要がないから、コスト上昇を招くのを防止できる。
【００７８】
この発明は種々変形可能である。たとえば、脚部材に対してベッドフレームのガイド部材を上下方向に駆動する駆動機構としてねじ軸に設けられたナット体によってワイヤを押し引きする構造を採用した。
【００７９】
それに代わって、前記ガイド部材と前記脚部材をシリンダやリニアガイドの駆動手段によって連結し、前記脚部材に対して前記ガイド部材を上下方向に駆動する構成としてもよい。
【００８０】
前記ベッドフレームにキャスタを取り付ける取付け部として、ベッドフレームに側柵を支持する取付け孔を利用したが、前記側部材にキャスタを取り付けるための専用の取付け部材を設けて取付け部としてもよい。
【符号の説明】
【００８１】
１…ベッドフレーム、２…側部材、３…ボード体、９…背上げ駆動機構、１０…取付け孔（取付け部）、１２…ガイド部材、１８…脚部材、２１…駆動機構、３８…キャスタ、３９…車輪、４１…支持体、４１ｂ…鍔部、４３…取付け軸、４６…ダブルボールプランジャ（係止部材）
【図１】
2016030148.tif 000003
【図２】
2016030148.tif 000004
【図３】
2016030148.tif 000005
【図４】
2016030148.tif 000006
【図５】
2016030148.tif 000007
【図６】
2016030148.tif 000008
【図７】
2016030148.tif 000009
【図８】
2016030148.tif 000010
【図９】
2016030148.tif 000011
【図１０】
2016030148.tif 000012